【手続補正書】
【提出日】平成26年10月17日(2014.10.17)
【手続補正１】
【補正対象書類名】特許請求の範囲
【補正対象項目名】全文
【補正方法】変更
【補正の内容】
【特許請求の範囲】
【請求項１】
実空間に存在するオブジェクトを入力画像内で識別する識別部と、
前記識別部により識別される第１のオブジェクトと第２のオブジェクトとの間の物理的作用に対応するイベントを前記入力画像を用いて検出する検出部と、
前記イベントの検出に応じて、前記第１のオブジェクトに関連付けられている属性データを前記第２のオブジェクトに関連付ける属性制御部と、
を備える画像処理装置。
【請求項２】
前記第１のオブジェクト及び前記第２のオブジェクトは、物質を収容可能なオブジェクトである、請求項１に記載の画像処理装置。
【請求項３】
前記属性データは、関連付けられるオブジェクトに収容される物質の少なくとも種類を示す、請求項２に記載の画像処理装置。
【請求項４】
前記属性データは、関連付けられるオブジェクトに収容される物質の数量をさらに表す、請求項３に記載の画像処理装置。
【請求項５】
前記検出部は、前記第１のオブジェクトと前記第２のオブジェクトとの間の位置関係が第１の条件を満たすことを、前記イベントとして検出する、請求項１〜４のいずれか１項に記載の画像処理装置。
【請求項６】
前記第１の条件は、前記第１のオブジェクトと前記第２のオブジェクトとの間の距離が所定の閾値を下回ることを含む、請求項５に記載の画像処理装置。
【請求項７】
前記第２のオブジェクトは、人物であり、
前記検出部は、前記第２のオブジェクトの前記第１のオブジェクトに対する所定のジェスチャを前記イベントとして検出する、
請求項１〜４のいずれか１項に記載の画像処理装置。
【請求項８】
前記第１のオブジェクト及び前記第２のオブジェクトは、人物により扱われる器具であり、
前記検出部は、前記第１のオブジェクト及び前記第２のオブジェクトに対する前記人物の所定のジェスチャを前記イベントとして検出する、
請求項１〜４のいずれか１項に記載の画像処理装置。
【請求項９】
前記属性制御部は、前記第１のオブジェクト及び前記第２のオブジェクトについて予め定義されるタイプが第２の条件を満たす場合に、前記第１のオブジェクトに関連付けられている前記属性データを前記第２のオブジェクトに関連付ける、請求項１〜８のいずれか１項に記載の画像処理装置。
【請求項１０】
前記第２の条件は、前記第１のオブジェクト及び前記第２のオブジェクトについて予め定義される前記タイプの少なくとも一方が物質を移送可能なオブジェクトを示す第１のタイプであることを含む、請求項９に記載の画像処理装置。
【請求項１１】
前記第２の条件は、前記第１のオブジェクトのタイプが前記第１のタイプであって、前記第２のオブジェクトのタイプが物質の移送先のオブジェクトを示す第２のタイプであること、をさらに含む、請求項１０に記載の画像処理装置。
【請求項１２】
前記第２の条件は、前記第２のオブジェクトのタイプが前記第１のタイプであって、前記第１のオブジェクトのタイプが物質の移送元のオブジェクトを示す第３のタイプであること、をさらに含む、請求項１０に記載の画像処理装置。
【請求項１３】
前記検出部は、前記第２のオブジェクトと第３のオブジェクトとの間の物理的作用に対応するさらなるイベントを検出し、
前記属性制御部は、前記第３のオブジェクトについて予め定義されるタイプが物質を計量可能なオブジェクトを示す第４のタイプである場合に、固定的に定義され又は前記入力画像から読み取られる物質の数量を前記属性データに付加する、
請求項９〜１２のいずれか１項に記載の画像処理装置。
【請求項１４】
前記属性制御部は、前記第１のオブジェクト及び前記第２のオブジェクトについて予め定義されるタイプが第３の条件を満たす場合に、第４のオブジェクトを新たに生成し、前記第１のオブジェクトに関連付けられている前記属性データを前記第４のオブジェクトに関連付ける、請求項９〜１３のいずれか１項に記載の画像処理装置。
【請求項１５】
前記属性制御部は、生成した前記第４のオブジェクトの画像特徴量を前記入力画像から抽出し、抽出した当該画像特徴量を前記第４のオブジェクトにさらに関連付ける、請求項１４に記載の画像処理装置。
【請求項１６】
前記属性制御部は、前記イベントの検出時刻に対応する時刻認証データ及び前記属性データを、前記第２のオブジェクトに関連付けて記憶媒体に記憶させる、請求項１〜１５のいずれか１項に記載の画像処理装置。
【請求項１７】
前記画像処理装置は、前記第１のオブジェクトに関連付けられている前記属性データを前記第２のオブジェクトに関連付けることについての承認をユーザから受け付けるユーザインタフェース部、をさらに備え、
前記属性制御部は、前記ユーザインタフェース部が前記承認を受け付けた場合にのみ、前記属性データを前記第２のオブジェクトに関連付ける、
請求項１〜１６のいずれか１項に記載の画像処理装置。
【請求項１８】
前記画像処理装置は、前記第２のオブジェクトを映した画像を表示する端末装置に前記第２のオブジェクトに関連付けられている前記属性データを配信して、前記端末装置に前記属性データを表示させるデータ配信部、をさらに備える、請求項１〜１７のいずれか１項に記載の画像処理装置。
【請求項１９】
前記識別部、前記検出部及び前記属性制御部のうち少なくとも１つが前記画像処理装置の代わりにクラウドコンピューティング環境上に存在する装置により実現される、請求項１〜１８のいずれか１項に記載の画像処理装置。
【請求項２０】
画像処理装置を制御するコンピュータを、
実空間に存在するオブジェクトを入力画像内で識別する識別部と、
前記識別部により識別される第１のオブジェクトと第２のオブジェクトとの間の物理的作用に対応するイベントを前記入力画像を用いて検出する検出部と、
前記イベントの検出に応じて、前記第１のオブジェクトに関連付けられている属性データを前記第２のオブジェクトに関連付ける属性制御部と、
として機能させるためのプログラム。
【請求項２１】
実空間に存在するオブジェクトを入力画像内で識別することと、
識別された第１のオブジェクトと第２のオブジェクトとの間の物理的作用に対応するイベントを前記入力画像を用いて検出することと、
前記イベントの検出に応じて、前記第１のオブジェクトに関連付けられている属性データを前記第２のオブジェクトに関連付けることと、
を含む画像処理方法。
【請求項２２】
実空間に存在するオブジェクトを映す入力画像を取得する画像取得部と、
第１のオブジェクトとの間の物理的作用に関与する、前記入力画像内で識別される第２のオブジェクトに関連付けられている属性データを取得するデータ取得部と、
前記データ取得部により取得される前記属性データを前記入力画像に重畳する表示制御部と、
を備え、
前記属性データは、前記物理的作用に対応するイベントの検出前に前記第１のオブジェクトに関連付けられており、前記イベントの検出に応じて前記第２のオブジェクトに新たに関連付けられるデータである、
端末装置。
【請求項２３】
端末装置を制御するコンピュータを、
実空間に存在するオブジェクトを映す入力画像を取得する画像取得部と、
第１のオブジェクトとの間の物理的作用に関与する、前記入力画像内で識別される第２のオブジェクトに関連付けられている属性データを取得するデータ取得部と、
前記データ取得部により取得される前記属性データを前記入力画像に重畳する表示制御部と、
として機能させ、
前記属性データは、前記物理的作用に対応するイベントの検出前に前記第１のオブジェクトに関連付けられており、前記イベントの検出に応じて前記第２のオブジェクトに新たに関連付けられるデータである、
プログラム。